(57)【特許請求の範囲】
【請求項１】
オーディオ及びビデオのうち少なくとも一つ（以下“ＡＶ”）の情報（以下“ＡＶ情報”）をＡＶ装置同士で無線通信する方法において、
第１  ＡＶ装置で、第１有線ＡＶインターフェースを通じて第１  ＡＶモジュールからＡＶ情報を受信する段階と、
前記ＡＶ情報についてインターフェース従属型プロセッシングを行う段階と、
無線送受信部から、無線チャネル上で第２  ＡＶ装置の無線受信部に前記プロセッシングされたＡＶ情報を伝送する段階と、
を含み、
前記第１有線ＡＶインターフェースを通じて相異なるタイプのＡＶ情報が受信されるとき、前記インターフェース従属型プロセッシングは、前記相異なるタイプのＡＶ情報を分離し、前記分離されたタイプのＡＶ情報を、プロセッシングのために前記無線送受信部のプロトコル適応レイヤーに提供することを特徴とする無線通信方法。
【請求項２】
前記第２  ＡＶ装置は、第２有線ＡＶインターフェースを備え、前記第１有線ＡＶインターフェースは、前記第２有線ＡＶインターフェースと異なるタイプであることを特徴とする請求項１に記載の無線通信方法。
【請求項３】
前記無線通信方法は、
オーディオ及び制御情報をフレームのデータ領域に配し、ビデオ情報を前記フレームのビデオ領域に配し、前記フレームを前記第２  ＡＶ装置の前記第２有線ＡＶインターフェースを通じて第２  ＡＶモジュールに提供することで、受信された情報から、前記第２  ＡＶ装置の無線受信部のプロトコル適応レイヤーでＡＶ情報を生成する段階をさらに含む請求項２に記載の無線通信方法。
【請求項４】
前記第１有線ＡＶインターフェースのインターフェースタイプから、前記第２有線ＡＶインターフェースの異なるインターフェースタイプにオーディオ、ビデオ及び制御情報を変換する段階をさらに含む請求項２に記載の無線通信方法。
【請求項５】
前記変換する段階は、
前記第１  ＡＶ装置で、前記第１有線ＡＶインターフェースのためのインターフェース従属型ＡＶ情報をインターフェース独立型ＡＶ情報に変換する段階と、
前記インターフェース独立型ＡＶ情報を、前記第１  ＡＶ装置から前記第２  ＡＶ装置に伝送する段階と、
前記インターフェース独立型ＡＶ情報を、前記第２有線ＡＶインターフェースのためのインターフェース従属型ＡＶ情報に変換する段階と、を含むことを特徴とする請求項４に記載の無線通信方法。
【請求項６】
前記相異なるタイプのＡＶ情報は、圧縮されたビデオ、圧縮または非圧縮されたオーディオ及び制御データを含むことを特徴とする請求項１に記載の無線通信方法。
【請求項７】
インターフェース従属型プロセッシング（以下“ＩＤＰ”）レイヤー（以下“ＩＤＰレイヤー”）で、前記ＡＶ情報にＩＤＰを行う段階と、
前記ＩＤＰレイヤーが、前記第１  ＡＶ装置のステーション管理エンティティ（以下“ＳＭＥ”）とインタラクションするために、ＩＤＰサービスアクセスポイント（以下“ＩＤＰ＿ＳＡＰ”）インターフェースを活用する段階と、
前記ＩＤＰレイヤーが、前記第１  ＡＶ装置のプロトコル適応レイヤー（以下“ＰＡＬ”）とインタラクションするために、プロトコル適応レイヤーサービスアクセスポイント（以下“ＰＡＬ＿ＳＡＰ”）インターフェースを活用する段階と、をさらに含む請求項１に記載の無線通信方法。
【請求項８】
前記ＳＭＥがＩＤＰレイヤーからの制御／管理情報を処理するように構成されているとき、前記ＩＤＰ＿ＳＡＰインターフェースは、前記ＩＤＰレイヤーと前記ＳＭＥとの前記制御／管理情報の交換のために使われ、
前記ＰＡＬ＿ＳＡＰインターフェースは、前記ＩＤＰレイヤーと前記ＰＡＬとのＡＶデータ情報交換のために使われることを特徴とする請求項７に記載の無線通信方法。
【請求項９】
前記第１  ＡＶ装置のＳＭＥでインターフェース従属型プロセッシングを行う段階をさらに含む請求項１に記載の無線通信方法。
【請求項１０】
前記第１  ＡＶ装置のＰＡＬでインターフェース従属型プロセッシングを行う段階と、
前記第１  ＡＶ装置のＳＭＥ、ＰＡＬ及びＰＡＬＭＥとインタラクションするために、インターフェース別サービスアクセスポイントインターフェースを活用する段階と、をさらに含む請求項１に記載の無線通信方法。
【請求項１１】
オーディオ及びビデオのうち少なくとも一つ（以下“ＡＶ”）の情報（以下“ＡＶ情報”）を無線通信する無線システムにおいて、
無線チャネルを通じて無線通信を行うための送受信部を備える第１  ＡＶ装置と、
無線チャネルを通じて無線通信を行うための送受信部を備える第２  ＡＶ装置と、
前記第１  ＡＶ装置で、第１有線ＡＶインターフェースを通じて第１  ＡＶモジュールからＡＶ情報を受信するインターフェース独立型プロセッシングＩＤＰ制御部と、を備え、
前記ＩＤＰ制御部は、前記ＡＶ情報についてインターフェース従属型プロセッシングを行い、前記無線チャネル上で前記第２  ＡＶ装置の前記送受信部に伝送するために、前記第１  ＡＶ装置の送受信部に前記プロセッシングされたＡＶ情報を提供し、
前記第１有線ＡＶインターフェースを通じて相異なるタイプのＡＶ情報が受信されるとき、前記インターフェース従属型プロセッシングは、前記相異なるタイプのＡＶ情報を分離し、前記分離されたタイプのＡＶ情報を、プロセッシングのために前記第１  ＡＶ装置の送受信部のプロトコル適応レイヤーに提供することを特徴とする無線システム。
【請求項１２】
オーディオ及びビデオのうち少なくとも一つ（以下“ＡＶ”）の無線通信のための無線ステーションにおいて、
無線チャネルを通じて無線通信を行うための無線送受信部と、
ＡＶモジュールと、
独立型インターフェースプロセッシング（以下“ＩＤＰ”）制御部と、を備え、
前記ＩＤＰは、有線ＡＶインターフェースを通じて前記ＡＶモジュールとＡＶ情報を交換し、
前記ＩＤＰ制御部は、前記送受信部とＡＶ情報を交換し、
前記ＩＤＰ制御部は、前記無線ステーションの有線ＡＶインターフェースと異なるタイプの有線ＡＶインターフェースを持つ無線装置と通信を行うために、前記交換されたＡＶ情報についてインターフェース従属型プロセッシングを行い、
前記有線ＡＶインターフェースを通じて相異なるタイプのＡＶ情報が受信されるとき、前記インターフェース従属型プロセッシングは、前記相異なるタイプのＡＶ情報を分離し、前記分離されたタイプのＡＶ情報を、プロセッシングのために前記無線送受信部のプロトコル適応レイヤーに提供することを特徴とする無線ステーション。
【請求項１３】
前記ＡＶモジュールは、ＡＶソースモジュールを備え、
前記ＩＤＰ制御部は、前記ＡＶソースモジュールからＡＶ情報を受信し、前記ＡＶ情報についてインターフェース従属型プロセッシングを行い、前記無線チャネル上で前記無線装置に伝送するために、前記無線送受信部に前記プロセッシングされたＡＶ情報を提供することを特徴とする請求項１２に記載の無線ステーション。
【請求項１４】
前記ＡＶモジュールは、ＡＶシンクモジュールを備え、
前記ＩＤＰ制御部は、前記無線装置との無線通信に基づいて前記無線送受信部からＡＶ情報を受信し、前記ＩＤＰ制御部は、前記ＡＶ情報についてインターフェース従属型プロセッシングを行い、前記プロセッシングされたＡＶ情報を前記ＡＶシンクモジュールに提供することを特徴とする請求項１２に記載の無線ステーション。
【発明の詳細な説明】
【技術分野】
【０００１】
本発明は、無線オーディオ／ビデオ伝送に係り、さらに具体的には、相異なるインターフェースを通じる無線オーディオ／ビデオ伝送に関する。
【背景技術】
【０００２】
非圧縮ビデオ及びオーディオ通信のためのシステムで、オーディオ／ビデオ（Ａｕｄｉｏ／Ｖｉｄｅｏ；以下“ＡＶ”）ソースは、一般的に高画質マルチメディアインターフェース（Ｈｉｇｈ−Ｄｅｆｉｎｉｔｉｏｎ  Ｍｕｌｔｉｍｅｄｉａ  Ｉｎｔｅｒｆａｃｅ；以下“ＨＤＭＩ（登録商標）”）などのハードウェアＡＶインターフェースを用いる無線モジュールに連結される。これらのシステムは、ＡＶソースとＡＶシンクとが互いに異なるＡＶインターフェースを使う場合や、互いに同一か、または異なるインターフェースを通じるビデオ、オーディオ、制御メッセージなどの互いに異なる情報タイプを使う場合、通信を支援できない。一例の場合が、ビデオソースは、非圧縮デジタルデータの伝送のためのコンパクトＡＶインターフェースであるＨＤＭＩを通じて送信部に連結されているが、ビデオシンクは、デジタルディスプレイＡＶインターフェース標準であるディスプレイポート（ＤｉｓｐｌａｙＰｏｒｔ）を通じる受信部に連結されている場合である。
【発明の概要】
【発明が解決しようとする課題】
【０００３】
従来のシステムは、ＡＶソースとＡＶシンクとが互いに異なるＡＶインターフェースを使うか、または互いに同一か、または異なるインターフェースを通じて互いに異なるタイプを持つビデオ、オーディオ、制御メッセージなどの通信を支援できない。
【課題を解決するための手段】
【０００４】
本発明の実施形態は、相異なる有線ＡＶインターフェースフォーマットを通じるオーディオ／ビデオ情報の無線伝送に関する。本発明の一実施形態は、第１  ＡＶ装置で、第１有線ＡＶインターフェースを通じて第１  ＡＶモジュールからＡＶ情報を受信する段階と、前記ＡＶ情報についてインターフェース従属型プロセッシングを行う段階と、無線送受信部から、無線チャネル上で第２  ＡＶ装置の無線受信部に前記プロセッシングされたＡＶ情報を伝送する段階と、を含むＡＶ装置間のオーディオ／ビデオ情報の無線通信を含む。前記第２  ＡＶ装置は、第２有線ＡＶインターフェースを備え、前記第１有線ＡＶインターフェースは、前記第２有線ＡＶインターフェースと異なるタイプであることを特徴とする。
【発明の効果】
【０００５】
本発明は、ＡＶソースとＡＶシンクとが互いに異なるＡＶインターフェースを使うか、互いに同一か、または異なるインターフェースを通じて互いに異なるタイプを持つビデオ、オーディオ、制御メッセージの通信を支援するシステムを提供する。
【図面の簡単な説明】
【０００６】
【図１】無線送受信モジュールのアーキテクチャを示す図面である。
【図２】無線通信システムのアーキテクチャを示す図面である。
【図３Ａ】本発明の一実施形態による無線ＡＶ装置のアーキテクチャを示す図面である。
【図３Ｂ】本発明の一実施形態による図３Ａの無線ＡＶ装置に基づいた無線通信システムを示す図面である。
【図４】本発明の一実施形態によるインターフェース従属型プロセッシングを持つ無線ＡＶ装置を示す図面である。
【図５】本発明の他の実施形態によるインターフェース従属型プロセッシングを持つ無線ＡＶ装置を示す図面である。
【図６】本発明の一実施形態による無線ＡＶ装置に基づいた無線通信システムを示す図面である。
【図７】本発明の一実施形態によるインターフェース従属型プロセッシングの具現を示す図面である。
【図８】本発明の他の実施形態によるインターフェース従属型プロセッシングの具現を示す図面である。
【図９】本発明の一実施形態による無線ＡＶ情報通信のプロセスのフローチャートである。
【図１０】本発明の一実施形態の具現に使われるコンピュータシステムを含む情報処理システムを示す上位レベルブロックダイヤグラムである。
【発明を実施するための形態】
【０００７】
本発明の一実施形態の一側面によれば、オーディオ及びビデオのうち少なくとも一つ（以下“ＡＶ”）の情報（以下“ＡＶ情報”）をＡＶ装置同士で無線通信する方法において、第１  ＡＶ装置で、第１有線ＡＶインターフェースを通じて第１  ＡＶモジュールからＡＶ情報を受信する段階と、前記ＡＶ情報についてインターフェース従属型プロセッシングを行う段階と、無線送受信部から、無線チャネル上で第２  ＡＶ装置の無線受信部に前記プロセッシングされたＡＶ情報を伝送する段階と、を含む無線通信方法を提供する。
【０００８】
前記第２  ＡＶ装置は、第２有線ＡＶインターフェースを備え、前記第１有線ＡＶインターフェースは、前記第２有線ＡＶインターフェースと異なるタイプであることを特徴とする無線通信方法である。
【０００９】
前記第１有線ＡＶインターフェースを通じて相異なるタイプのＡＶ情報が受信される時、前記インターフェース従属型プロセッシングは、前記相異なるタイプのＡＶ情報を分離し、前記分離されたタイプのＡＶ情報を、プロセッシングのために前記無線送受信部のプロトコル適応レイヤーに提供することを特徴とする無線通信方法である。
【００１０】
前記相異なるタイプのＡＶ情報は、オーディオ、ビデオ、制御情報を含む。
【００１１】
前記無線通信方法は、オーディオ及び制御情報をフレームのデータ領域に配し、ビデオ情報を前記フレームのビデオ領域に配し、前記フレームを前記第２  ＡＶ装置の前記第２  ＡＶインターフェースを通じて第２  ＡＶモジュールに提供することで、受信された情報から、前記第２  ＡＶ装置の無線受信部のプロトコル適応レイヤーでＡＶ情報を生成する段階をさらに含む無線通信方法である。
【００１２】
前記無線通信方法は、前記第１  ＡＶインターフェースのインターフェースタイプから、前記第２  ＡＶインターフェースの異なるインターフェースタイプにオーディオ、ビデオ及び制御情報を変換する段階をさらに含む無線通信方法である。
【００１３】
前記変換する段階は、前記第１  ＡＶ装置から前記第２  ＡＶ装置に、前記無線チャネル上で前記ＡＶ情報を伝送する前に行われることを特徴とする無線通信方法である。前記変換する段階は、前記第１  ＡＶ装置から前記第２  ＡＶ装置に、前記無線チャネル上で前記ＡＶ情報を伝送した後、前記ＡＶ情報を前記第２  ＡＶインターフェースに伝達する前に行われることを特徴とする無線通信方法である。
【００１４】
前記変換する段階は、前記第１  ＡＶ装置で、前記第１  ＡＶインターフェースのためのインターフェース従属型ＡＶ情報をインターフェース独立型ＡＶ情報に変換する段階と、前記インターフェース独立型ＡＶ情報を、前記第１  ＡＶ装置から前記第２  ＡＶ装置に伝送する段階と、前記インターフェース独立型ＡＶ情報を、前記第２  ＡＶインターフェースのためのインターフェース従属型ＡＶ情報に変換する段階と、を含むことを特徴とする無線通信方法である。
【００１５】
前記無線通信方法は、前記各ＡＶ装置は、ｍｍＷ無線送受信部を備えることを特徴とする無線通信方法である。前記無線通信方法は、前記ＡＶ情報は、非圧縮ビデオ情報を含むことを特徴とする無線通信方法である。
【００１６】
前記相異なるタイプのＡＶ情報は、圧縮されたビデオ、圧縮または非圧縮されたオーディオ及び制御データを含む。
【００１７】
前記無線通信方法は、インターフェース従属型プロセッシング（以下“ＩＤＰ”）レイヤー（以下“ＩＤＰレイヤー”）で、前記ＡＶ情報にＩＤＰを行う段階と、前記ＩＤＰレイヤーが、前記第１  ＡＶ装置のステーション管理エンティティ（以下“ＳＭＥ”）とインタラクションするために、ＩＤＰサービスアクセスポイント（以下“ＩＤＰ＿ＳＡＰ”）インターフェースを活用する段階と、前記ＩＤＰレイヤーが、前記第１  ＡＶ装置のプロトコル適応レイヤー（以下“ＰＡＬ”）とインタラクションするために、プロトコル適応レイヤーサービスアクセスポイント（以下“ＰＡＬ＿ＳＡＰ”）インターフェースを活用する段階と、をさらに含む無線通信方法である。
【００１８】
前記無線通信方法は、前記ＳＭＥがＩＤＰレイヤーからの制御／管理情報を処理するように構成されている時、前記ＩＤＰ＿ＳＡＰインターフェースは、前記ＩＤＰレイヤーと前記ＳＭＥとの前記制御／管理情報交換のために使われ、前記ＰＡＬ＿ＳＡＰインターフェースは、前記ＩＤＰレイヤーと前記ＰＡＬとのＡＶデータ情報交換のために使われることを特徴とする無線通信方法である。
【００１９】
前記無線通信方法は、前記第１  ＡＶ装置のＳＭＥでインターフェース従属型プロセッシングを行う段階をさらに含む無線通信方法である。前記無線通信方法は、前記第１  ＡＶ装置のＰＡＬでインターフェース従属型プロセッシングを行う段階と、前記第１  ＡＶ装置のＳＭＥ、ＰＡＬ及びＰＡＬＭＥとインタラクションするために、インターフェース別サービスアクセスポイントインターフェースを活用する段階と、をさらに含む無線通信方法である。
【００２０】
本発明の一実施形態によるさらに他の側面は、オーディオ及びビデオのうち少なくとも一つ（以下“ＡＶ”）の情報（以下“ＡＶ情報”）を無線通信する無線システムにおいて、無線チャネルを通じて無線通信を行うための送受信部を備える第１  ＡＶ装置と、無線チャネルを通じて無線通信を行うための送受信部を備える第２  ＡＶ装置と、前記第１  ＡＶ装置で、第１有線ＡＶインターフェースを通じて第１  ＡＶモジュールからＡＶ情報を受信するインターフェース独立型プロセッシングＩＤＰ制御部と、を備え、前記ＩＤＰ制御部は、前記ＡＶ情報についてインターフェース従属型プロセッシングを行い、前記無線チャネル上で前記第２  ＡＶ装置の前記送受信部に伝送するために、前記第１  ＡＶ装置の送受信部に前記プロセッシングされたＡＶ情報を提供することを特徴とする無線システムを提供する。
【００２１】
前記第２  ＡＶ装置は、第２有線ＡＶインターフェースを備え、前記第１有線ＡＶインターフェースは、前記第２有線ＡＶインターフェースと異なるタイプである。
【００２２】
相異なるタイプのＡＶ情報が前記第１有線ＡＶインターフェースを通じて受信されたとき、前記ＩＤＰ制御部は、前記相異なるタイプのＡＶ情報を分離し、前記第１  ＡＶ装置のプロトコル適応レイヤーに前記分離されたＡＶ情報を、プロセッシングのために伝達できる。前記相異なるタイプのＡＶ情報は、オーディオ、ビデオ、制御情報を含む。
【００２３】
前記第２  ＡＶ装置のプロトコル適応レイヤーは、オーディオ及び制御情報をフレームのデータ領域に配し、ビデオ情報を前記フレームのビデオ領域に配し、前記フレームを、前記第２ＡＶ装置の前記第２ＡＶインターフェースを通じて第２ＡＶモジュールに提供することで、受信された情報からＡＶ情報を生成する。
【００２４】
前記ＩＤＰ制御部は、前記第１  ＡＶインターフェースのインターフェースタイプから前記第２ＡＶインターフェースの異なるインターフェースタイプに、オーディオ、ビデオ及び制御情報を変換する。
【００２５】
前記ＩＤＰ制御部による変換は、前記第１  ＡＶ装置から前記第２ＡＶ装置に、前記無線チャネル上で前記ＡＶ情報を伝送する前に行われる。前記ＩＤＰ制御部による変換は、前記第１  ＡＶ装置から前記第２ＡＶ装置に、前記無線チャネル上で前記ＡＶ情報を伝送した後、前記ＡＶ情報を前記第２ＡＶインターフェースに伝達する前に行われる。
【００２６】
前記ＩＤＰ制御部による変換は、前記第１  ＡＶ装置で、前記第１  ＡＶインターフェースのためのインターフェース従属型ＡＶ情報をインターフェース独立型ＡＶ情報に変換する段階と、前記インターフェース独立型ＡＶ情報を、前記第１  ＡＶ装置から前記第２ＡＶ装置に伝送する段階と、前記インターフェース独立型ＡＶ情報を、前記第２ＡＶインターフェースのためのインターフェース従属型ＡＶ情報に変換する段階と、を含む。
【００２７】
前記各ＡＶ装置は、ｍｍＷ無線送受信部を備える。前記ＡＶ情報は、非圧縮ビデオ情報を含む。前記異なるタイプのＡＶ情報は、圧縮されたビデオ、圧縮または非圧縮されたオーディオ及び制御データを含む。
【００２８】
前記無線システムは、ＩＤＰサービスアクセスポイント（以下“ＩＤＰ＿ＳＡＰ”）インターフェースと、プロトコル適応レイヤードサービスアクセスポイント（ＰＡＬ＿ＳＡＰ）とをさらに含み、前記ＩＤＰ制御部は、スチーション管理エンティティー（以下“ＳＭＥ”）とイントレックションするために、前記ＩＤＰ＿ＳＡＰインターフェースを活用し、前記ＩＤＰ制御部は、プロトコル適応レイヤード（以下“ＰＡＬ”）とイントレックションするために、前記ＰＡＬ＿ＳＡＰインターフェースを活用する。
【００２９】
前記ＳＭＥが、ＩＤＰレイヤードからの制御／管理情報を処理するように構成されている時、前記ＩＤＰ＿ＳＡＰインターフェースは、前記ＩＤＰレイヤードと前記ＳＭＥとの前記制御／管理情報交換のために使われ、前記ＰＡＬ＿ＳＡＰインターフェースは、前記ＩＤＰレイヤードと前記ＰＡＬとのＡＶデータ情報交換のために使われる。
【００３０】
前記ＩＤＰ制御部は、前記第１  ＡＶ装置のＳＭＥでインターフェース従属型プロセッシングを行う。前記第１  ＡＶ装置のＰＡＬは、インターフェース従属型プロセッシングを行い、前記第１  ＡＶ装置のＳＭＥ、ＰＡＬ及びＰＡＬＭＥとイントレックションするために、インターフェース別サービスアクセスポイントインターフェースを活用する。
【００３１】
本発明の一実施形態によるさらに他の側面は、オーディオ及びビデオのうち少なくとも一つ（以下“ＡＶ”）の無線通信のための無線ステーションにおいて、無線チャネルを通じて無線通信を行うための無線送受信部と、ＡＶモジュールと、独立型インターフェースプロセッシング（以下“ＩＤＰ”）制御部と、を備え、前記ＩＤＰは、有線ＡＶインターフェースを通じて前記ＡＶモジュールとＡＶ情報を交換し、前記ＩＤＰ制御部は、前記送受信部とＡＶ情報を交換し、前記ＩＤＰ制御部は、前記無線ステーションの有線ＡＶインターフェースと異なるタイプの有線ＡＶインターフェースを持つ無線装置と通信を行うために、前記交換されたＡＶ情報についてインターフェース従属型プロセッシングを行うことを特徴とする無線ステーションを提供する。
【００３２】
前記無線ステーションは、前記ＡＶモジュールは、ＡＶソースモジュールを備え、前記ＩＤＰ制御部は、前記ＡＶソースモジュールからＡＶ情報を受信し、前記ＡＶ情報についてインターフェース従属型プロセッシングを行い、前記無線チャネル上で前記無線装置に伝送するために、前記無線送受信部に前記プロセスされたＡＶ情報を提供することを特徴とする。
【００３３】
前記無線ステーションは、前記ＡＶモジュールは、ＡＶシンクモジュールを備え、前記ＩＤＰ制御部は、前記無線装置との無線通信に基づいて前記無線送受信部からＡＶ情報を受信し、前記ＩＤＰ制御部は、前記ＡＶ情報についてインターフェース従属型プロセッシングを行い、前記プロセッシングされたＡＶ情報を前記ＡＶシンクモジュールに提供することを特徴とする無線ステーションである。
【００３４】
本発明の実施形態は、相異なるＡＶインターフェースフォーマットを通じるオーディオ／ビデオ情報の無線伝送に関する。本発明の一実施形態は、ビデオソースとビデオシンクとを連結する相異なるインターフェースを持つ無線通信リンク上でのオーディオ／ビデオ伝送を含む。本発明の一実施形態は、相異なるＡＶインターフェースを持つビデオソースとビデオシンクとを、無線送受信部を通じて連結するためのインターフェース従属型プロセッシング（Ｉｎｔｅｒｆａｃｅ  Ｄｅｐｅｎｄｅｎｔ  Ｐｒｏｃｅｓｓｉｎｇ；以下“ＩＤＰ”）を提供するＩＤＰ制御部を提供する。
【００３５】
本発明の一実施形態で、前記ＩＤＰ制御部は、インターフェース従属型プロセッシングを提供し、前記インターフェース従属型プロセッシングは、（１）ＨＤＭＩ、ディスプレイポート（ＤｉｓｐｌａｙＰｏｒｔ）または他のインターフェースなどの一つまたは複数の有線インターフェースを持つ受信部または送信部のためのレイヤー管理、（２）相異なるタイプのビデオ、オーディオ及び制御データなどの情報をＡＶソースで分離することと、ＡＶシンクで結合すること、（３）ＡＶインターフェースについてＡＶインターフェース別特定情報を変換、生成、フォワーディングすること、及び（４）ＩＤＰ制御部と（ソース装置またはシンク装置の）無線送受信部とのインタラクションを支援することを含む。ＡＶインターフェースの例には、ＨＤＭＩ、ディスプレイポート（ＤｉｓｐｌａｙＰｏｒｔ）、バス（Ｂｕｓｅｓ）、低電圧差分信号（Ｌｏｗ−ｖｏｌｔａｇｅ  ｄｉｆｆｅｒｅｎｔｉａｌ  ｓｉｇｎａｌｉｎｇ；ＬＶＤＳ）、デジタルビジュアルインターフェース（Ｄｉｇｉｔａｌ  Ｖｉｓｕａｌ  Ｉｎｔｅｒｆａｃｅ；ＤＶＩ）などが含まれる。
【００３６】
本発明の実施形態に関する説明で、ＡＶソース装置（またはソース装置）は、ＡＶソース及び無線送受信部を備える。さらに、ＡＶシンク装置（またはシンク装置）は、ＡＶシンク及び無線送受信器を備える。本発明の実施形態は、無線ギガビットアライアンス（Ｗｉｒｅｌｅｓｓ  Ｇｉｇａｂｉｔ  Ａｌｌｉａｎｃｅ；ＷＧＡ）産業標準レイヤーモデル、及びＩＥＥＥ  ８０２．１１ａｄなどのｍｍＷ（ｍｉｌｌｉｍｅｔｅｒ−ｗａｖｅ）無線システムのプロトコルアーキテクチャに関して説明されるが、本発明はそのような応用に制限されず、他の無線通信システムやＩＥＥＥ  ８０２．１１ａｃなどの無線ＬＡＮ（ｗｉｒｅｌｅｓｓ  ｌｏｃａｌ  ａｒｅａ  ｎｅｔｗｏｒｋ）とも使われる。
【００３７】
図１は、無線ギガビットアライアンス（ＷＧＡ）レイヤリングモデル（ｌａｙｅｒｉｎｇ  ｍｏｄｅｌ）、及びＩＥＥＥ  ８０２．１１標準のようなレイヤリングモジュール（ｌａｙｅｒｉｎｇ  ｍｏｄｕｌｅ）を含むミリメートルウェーブ（ｍｍＷ）無線送受信ステーション１０の一例のアーキテクチャを示すものである。レイヤリングモジュールは、７つの機能的エンティティ／レイヤーを含む：物理（ＰＨＹ）レイヤー１０Ａ、媒体接近制御（ＭＡＣ）レイヤー１０Ｂ、プロトコル適応レイヤー（ＰＡＬ）１０Ｃ、ＰＨＹ管理エンティティ（ＰＬＭＥ）１０Ｄ、ＭＡＣ管理エンティティ（ＭＬＭＥ）１０Ｅ、ＰＡＬ管理エンティティ（ＰＡＬＭＥ）１０Ｆ、ステーション管理エンティティ（ＳＭＥ）１０Ｇ。ＰＡＬサービスアクセスポイント（ＰＡＬ  ｓｅｒｖｉｃｅ  ａｃｃｅｓｓ  ｐｏｉｎｔ；以下“ＰＡＬ＿ＳＡＰ”）は、単にソフト的または論理的インターフェースであるので、無線ステーション１０は、ＨＤＭＩ及びディスプレイポートなどのＡＶハードウェアインターフェースを持つビデオソースとビデオシンクとのインタラクションを含まない。同様に、無線ステーション１０は、ＡＶソースとＡＶシンクとが相異なるＡＶインターフェースを通じて連結する方法や、無線でインタラクションする方法を示していない。
【００３８】
図１のアーキテクチャは、有線ＡＶインターフェースのない状態で無線送受信モジュールがＡＶソースまたはＡＶシンクに統合されている時、ＰＡＬ＿ＳＡＰがＡＶソースまたはＡＶシンクを無線送受信部と連結するときに作動する。しかし、ＡＶソースまたはＡＶシンクを無線送受信部に連結するときに、ＨＤＭＩまたはディスプレイポートなどの有線ＡＶインターフェースが使われるならば、ＰＡＬ＿ＳＡＰは機能を行えなくなるが、その理由は、有線インターフェースは自体の通信プロトコル及びデータフォーマットを持つからである。さらに、図１のアーキテクチャは、ＡＶソースとＡＶシンクとを無線送受信部モジュールと連結するときに相異なるビデオインターフェースを持つ場合も支援しない。
【００３９】
図２は、ＡＶソース装置２２及びＡＶシンク装置２４を備える無線システム２０の例示を示す。ソース装置２２は、ｍｍＷ無線送受信モジュール２３及びＡＶソース２５（例えば、非圧縮ＡＶデータを提供するＤＶＤプレーヤ）を備える。シンク装置２４は、ｍｍＷ無線送受信モジュール２７及びＡＶシンク２９（例えば、ＴＶ、ディスプレイモニタ）を備える。前記例示で、無線送受信部モジュール２３は送信部として機能し、無線送受信部モジュール２７は受信部として機能しつつ、ラジオ周波数上の無線チャネルを通じて、複数のアンテナによるビームフォーミング（ｂｅａｍｆｏｒｍｉｎｇ）のような指向性伝送を用いて通信を行う。
【００４０】
ソース装置２２で、ビデオソース２５は、ＨＤＭＩインターフェース２１を通じて無線送信部２３に連結されている。シンク装置２４で、ビデオシンク２９は、ディスプレイポートインターフェース２６を通じて無線受信部２７に連結されている。無線送信部２３は、ＨＤＭＩとディスプレイポートとの間のプロトコル制御及びデータフォーマットを変換できる能力を持っていない。同様に、システム２０は、同一か、または異なるインターフェースを通じるビデオ、オーディオ、制御メッセージなどの相異なる情報タイプを処理できない。例えば、オーディオは、無線送受信モジュールに対する入力として、相異なる有線インターフェースを使う。
【００４１】
本発明の一実施形態は、ＡＶソースとＡＶシンクとを連結する相異なるインターフェースを通じる無線通信リンク上でのＡＶデータ伝送を提供する。図３Ａを参照すれば、本発明の一実施形態による通信システム３０は、無線ＡＶ通信のために、ＡＶモジュール（例えば、ＡＶソースまたはＡＶシンク）に連結される相異なるＡＶインターフェースを支援する。システム３０は、ｍｍＷ無線送受信部３４のような無線送受信部のためのＩＤＰレイヤー（ＩＤＰモジュール）３２を備えるＩＤＰ制御部を備える。ＩＤＰレイヤー３２は、ここで説明されるインターフェース従属型プロセッシングを提供するが、前記インターフェース従属型プロセッシングは、相異なるＡＶインターフェースを持つＡＶモジュールが無線送受信部を通じて連結させる。レイヤーモデルは、物理レイヤー３０Ａ、ＭＡＣレイヤー３０Ｂ、ＰＡＬ  ３０Ｃ、ＰＬＭＥ  ３０Ｄ、ＭＬＭＥ  ３０Ｅ、ＰＡＬＭＥ  ３０Ｆ、ＳＭＥ  ３０Ｇの７つの機能的エンティティ／レイヤーを含む。
【００４２】
ＩＤＰレイヤー３２はＳＭＥ  ３０Ｇとインターフェースし、ＳＭＥ  ３０Ｇと通信するために、インターフェース従属型プロセッシングサービスアクセスポイント（ｉｎｔｅｒｆａｃｅ  ｄｅｐｅｎｄｅｎｔ  ｐｒｏｃｅｓｓｉｎｇ  ｓｅｒｖｉｃｅ  ａｃｃｅｓｓ  ｐｏｉｎｔ；以下“ＩＤＰ＿ＳＡＰ”）インターフェース３０Ｈを活用する。前記ＩＤＰ＿ＳＡＰは、ＩＤＰレイヤーがＳＭＥとインタラクションできるように追加される。
【００４３】
ＨＤＭＩのようなケーブルを通じてＡＶソースとＡＶシンクとが直接的に連結される有線応用とは異なって、本発明の実施形態によれば、ＡＶソースのような第１  ＡＶモジュールは、有線ＡＶインターフェースを持つ一つの無線送受信モジュールに連結され、ＡＶシンクのような第２  ＡＶモジュールも、有線ＡＶインターフェースを持つ一つの無線送受信モジュールに連結される。そして、前記無線送受信部モジュールは、無線チャネルを通じて通信する。
【００４４】
図３に示したように、本発明の一実施形態は、ソース側で、ＩＤＰレイヤー３２と無線送受信モジュール３４とのインタラクションのための支援を提供する。本発明の実施形態では、ＩＤＰレイヤー３２は、システム３０のＰＡＬレイヤー及びＳＭＥとインタラクションするために、ＰＡＬ＿ＳＡＰ及びＩＤＰ＿ＳＡＰインターフェースをそれぞれ使う。ＰＡＬ＿ＳＡＰは、主にＩＤＰ３２とＰＡＬレイヤー３０Ｃとのオーディオ／ビデオ情報交換に使われる。ＰＡＬ＿ＳＡＰはまた、無線送受信モジュールに透明な制御情報のために使われてもよい（すなわち、ＰＡＬレイヤーは、ＩＤＰレイヤー３２からの制御情報の意味を知る必要がない）。
【００４５】
例えば、ＩＤＰレイヤー３２は、ＰＡＬ＿ＳＡＰを通じて特定ＣＥＣ制御メッセージを伝達でき、ＣＥＣメッセージはＰＡＬレイヤーに透明である。本発明の実施形態によれば、ＩＤＰ＿ＳＡＰ  ３０Ｈは、ＩＤＰレイヤー３２とＳＭＥ３４との制御／管理情報交換のために使われる。本発明の実施形態によれば、ＳＭＥ３４は、以後の動作を行う前にＩＤＰからの制御／管理情報の意味を理解するように構成される。
【００４６】
本発明の一実施形態によれば、ＩＤＰレイヤー３２は、次のようなインターフェース従属型プロセッシングを提供する。ＩＤＰレイヤー３２は、ＨＤＭＩ、ディスプレイポートまたは他のインターフェースやバスなどの有線インターフェースを用いてＡＶモジュール（例えば、ＡＶソース）と通信する。それと同一または相異なるインターフェースが、ビデオ、オーディオ及び制御データのために使われる。
【００４７】
本発明の一実施形態によれば、ＩＤＰ制御部は、図３Ｂの例示に示したように、ＡＶソースで一つのＩＤＰレイヤー及びＡＶシンクで一つのＩＤＰレイヤーを備え、ＡＶソース及びＡＶシンクで相異なるＡＶインターフェースを使う、ＡＶソースとＡＶシンクとの無線通信リンク上でのＡＶデータ通信を可能にするインターフェース従属型プロセッシングを提供する。
【００４８】
図３Ｂを参考にすれば、本発明の一実施形態によれば、例示的無線システム３５は、ＡＶソース装置３６及びＡＶシンク装置３８を備える。ソース装置３６で、ビデオソース２５はＩＤＰレイヤー３２Ａを経て、ＡＶインターフェース２１を通じて無線送信部モジュール３７に連結される。シンク装置３８で、ビデオシンク２９はＩＤＰレイヤー３２Ｂを経て、ＡＶインターフェース２６を通じて無線受信部モジュール３９に連結される。本実施形態で、前記ＩＤＰ制御部は、ＩＤＰレイヤー３２Ａ及びＩＤＰレイヤー３２Ｂを備える。
【００４９】
本発明の一実施形態で、シンクＩＤＰレイヤー３２Ｂは、ソースＩＤＰレイヤー３２Ａの逆機能を提供する。例えば、ＩＤＰレイヤー３２Ｂは、ＨＤＭＩハードウェアインターフェースの場合に、ＨＤＭＩフレームのデータアイランド（ｄａｔａ  ｉｓｌａｎｄｓ）にオーディオ及びデータデータを配置させることで、ＨＤＭＩフレーム構造を再構成できる。一例として、ＡＶインターフェース２１はＨＤＭＩを含み、ＡＶインターフェース２６はディスプレイポートを含む。本発明の一実施形態によれば、装置３６と装置３９それぞれは、通信システム３０（図３Ａ）のアーキテクチャを活用する。
【００５０】
図４は、本発明の一実施形態によって、ＡＶソース装置内でのように、ＡＶモジュールとＩＤＰレイヤー３２との間でＡＶデータが伝送される無線通信システム４０を示す。本実施形態で、オーディオ及びビデオデータ３４Ａは、ＨＤＭＩインターフェース２１を通じてＩＤＰレイヤー３２に伝送される。オーディオは、ＨＤＭＩフレームのビデオ水平／垂直（Ｈｏｒｉｚｏｎｔａｌ／ｖｅｒｔｉｃａｌ；Ｈ／Ｖ）ブランキング期間中にデータアイランドから伝送される。特定制御データ３６Ｃも、ＨＤＭＩフレームのＨ／Ｖブランキング期間中にデータアイランドから伝送される。ＣＥＣメッセージのような他の特定制御情報は、Ｉ２Ｃ（Ｉｎｔｅｒ−Ｉｎｔｅｇｒａｔｅ  Ｃｉｒｃｕｉｔ）のような別途のインターフェースを通じて伝送される。このように、ＨＤＭＩインターフェースは、オーディオとビデオデータ両方のためのインターフェースとして使われる。次いで、無線送信部３４は、さらに他のＡＶ装置の無線受信部に情報を伝送する。
【００５１】
図５は、本発明の一実施形態によるさらに他の例示システム５０を示すが、本実施形態では、オーディオデータ５２は、Ｉ２Ｓ（Ｉｎｔｅｇｒａｔｅｄ  Ｉｎｔｅｒｃｈｉｐ  Ｓｏｕｎｄ）インターフェースを通じてＩＤＰレイヤー３２に伝送され、ビデオデータ５４は、ＨＤＭＩインターフェース２１を通じて伝送され、制御データ５６は、Ｉ２Ｓインターフェース（デジタルオーディオ装置を連結するシリアルバスインターフェース標準）を通じて伝送される。ＩＤＰレイヤー３２は、データによってインターフェース従属型プロセッシングを提供する。本例示で、ビデオデータ５４は、ＨＤＭＩインターフェース２１を通じてＩＤＰレイヤー３２に伝送される。オーディオデータ５２は、Ｉ２Ｓインターフェースを通じてＩＤＰレイヤー３２に伝送される。特定制御データ５６は、ＨＤＭＩフレームのＨ／Ｖブランキング期間中にデータアイランドから伝送される。ＣＥＣメッセージのような他の特定制御情報は、Ｉ２Ｃ（Ｉｎｔｅｒ−Ｉｎｔｅｇｒａｔｅ  Ｃｉｒｃｕｉｔ）などの別途のインターフェースを通じて伝送される。次いで、無線送信部３４は、さらに他のＡＶ装置の無線受信部に情報を伝送する。
【００５２】
図６は、本発明の一実施形態によるさらに他の例示システム６０を示すが、本実施形態でソースＩＤＰレイヤー６２Ａ及びシンクＩＤＰレイヤー６２Ｂを備えるＩＤＰ制御部は、他のタイプを持つＡＶ情報の（ソース装置側での）分離、（シンク装置側での）結合を含むインターフェース従属型プロセッシングを含む。一例示で、一つのビデオソース６１によって同じＡＶインターフェースを通じて他のタイプを持つ情報が伝送される時、前記他のタイプを持つ情報は、送信部側の無線送受信モジュール３７のＰＡＬレイヤー３０Ｃでさらにプロセスされるために、ソースＩＤＰレイヤー６２Ａから分離される。例えば、ＨＤＭＩフレームのデータアイランドに含まれた形態でオーディオ及び制御データがＩＤＰレイヤー６２Ａに伝送されれば、ＩＤＰレイヤー６２Ａは、ＨＤＭＩフレームからオーディオ、ビデオ、制御情報を抽出し、無線モジュール３７のＰＡＬレイヤー３０Ｃに分離して伝達する。ＡＶ情報は、例えば、圧縮されたビデオ、圧縮または非圧縮されたオーディオ及び制御データを含む。
【００５３】
受信部側で、他のタイプを持つＡＶ情報は共に結合される。本発明の一実施形態で、無線送受信部モジュール３９のＰＡＬレイヤー３０Ｃは、ＨＤＭＩフレームのデータアイランド内にオーディオ及び制御情報を配置させ、ＨＤＭＩフレームの活性ビデオ領域内にビデオ情報を配置させてＨＤＭＩフレームを再生性し、ＨＤＭＩインターフェースを通じてビデオシンク６１にＨＤＭＩフレームを伝送する。シンクＩＤＰレイヤー６２Ｂは、ソースＩＤＰレイヤー６２Ａの逆機能を提供する。例えば、ＩＤＰレイヤー６２Ｂは、ＨＤＭＩハードウェアインターフェースの場合に、ＨＤＭＩフレームのデータアイランド内にオーディオ及び制御データを配置させることでＨＤＭＩフレーム構造を再構成する。
【００５４】
再び図３Ａを参考にすれば、本発明の実施形態によれば、送信部または受信部側のＩＤＰは、変換、生成、インターフェース別特定情報のフォワーディングを含むインターフェース従属型プロセッシングを提供する。例えば、図３ＡのＩＤＰレイヤー３２は、ＡＶソースとＡＶシンクとがそれぞれの無線送受信部を通じて無線チャネル上で互いに通信可能にするために、関連の制御情報及びＡＶデータをフォワーディングする。有線インターフェースを通じる制御及びオーディオ／ビデオデータ情報のフォーマットは、無線チャネルを通じるパケットフォーマットと異なるため、ＩＤＰレイヤー３２は、情報を送受信部３４にフォワーディングする前にフォーマット変換を提供する。
【００５５】
前述したように、一例で、ビデオソース及びビデオシンクは、相異なるタイプのＡＶインターフェース（例えば、ビデオソース側でＨＤＭＩ、ビデオシンク側でディスプレイポート）を使う。一実施形態で、送信部でのＩＤＰレイヤーまたは受信部でのＩＤＰレイヤーは、一つのＡＶインターフェースタイプから他のＡＶインターフェースタイプに制御及びオーディオ／ビデオデータ情報を変換する。本発明の実施形態による変換の３つの例示が後述される。一例示で、一つのＨＤＭＩインターフェースを持つ送信部装置（例えば、ＡＶソース）側でのＩＤＰレイヤーは、送信部と受信部とのＳＭＥでの能力交換シグナリングを通じて、受信部装置（例えば、ＡＶシンク）がディスプレイポートを使うということが分かる。
【００５６】
第１例示で、ＩＤＰによる該変換は、無線チャネル上で情報が伝送される前に送信部側で行われる。例えば、図６のシステム６０で、ビデオソース６１がビデオシンク６２に特定ＨＤＭＩ制御情報を伝送する必要がある場合、ビデオソース側のＩＤＰレイヤー６２Ａは、該情報がパケット化して送信部３７によって無線チャネル上で受信部３９に伝送される前、例えば、ＨＤＭＩ制御情報を、例えば、対応するディスプレイポート制御情報フォーマットに変換する。ＩＤＰレイヤー６２Ｂは、ＩＤＰレイヤー６２Ａの逆過程を提供する。
【００５７】
第２例示で、ＩＤＰによる該変換は、該情報が無線チャネル上で送信部から伝送された後、しかし他の側受信部の有線インターフェースに該情報が伝達される前に行われる。例えば、図６で、ビデオソース６１が特定ＨＤＭＩ制御情報をビデオシンク６２に伝送する必要がある場合、ビデオソース側ＩＤＰレイヤー６２ＡはＨＤＭＩ制御情報をパケット化し、送信部３７は前記パケットを無線チャネル上で受信部３９に送る。次いで、ビデオシンク側で、ＩＤＰレイヤー６２Ｂは、ビデオシンク６２のディスプレイポートインターフェースに該情報を伝送する前に、ＨＤＭＩ制御情報を、対応するディスプレイポート制御情報フォーマットに変換する。
【００５８】
第３例示で、送信部側ＩＤＰは、送信部側から無線チャネル上で情報を伝送する前に、いつもインターフェース従属型制御及びオーディオ／ビデオデータ情報を変換する。次いで、受信部側では、無線チャネルからインターフェース独立型情報を受信すれば、受信部側ＩＤＰは、ビデオシンクの有線インターフェースに該情報を伝達する前に、いつもインターフェース独立型情報をインターフェース従属型情報に変換する。
【００５９】
例えば、図６のシステムで、ビデオソース６１がビデオシンク６２に特定ＨＤＭＩ制御情報を伝送する必要がある時、ビデオソース側のＩＤＰレイヤー６２Ａは、該情報を一般化された制御情報パケットフォーマットに変換し、一般化された制御パケットを無線チャネル上で伝送する。次いで、受信部側で、ＩＤＰレイヤー６２Ｂは、該情報をビデオシンク６２のディスプレイポートインターフェースにフォワーディングする前に、一般化された制御パケットを、対応するデ−プルレイポト制御情報フォーマットに変換する。
【００６０】
図７は、本発明の一実施形態による無線通信システム７０のアーキテクチャを示すが、本実施形態では、以上で述べられたレイヤー管理を提供するために、ＩＤＰレイヤー３２の機能がＡＶモジュールのための無線送受信部のＳＭＥに具現される。図８は、本発明の一実施形態による無線システム８０のアーキテクチャを示すが、本実施形態では、以上で述べられたようなＩＤＰレイヤー３２の機能が、ＡＶモジュールのための無線送受信部のＰＡＬレイヤーによって具現される。本実施形態で、ビデオソースまたはシンクと無線モジュール間の多様なハードウェアインターフェースを支援するために、インターフェース別特定ＳＡＰ  ３０ＪがＰＡＬ＿ＳＡＰ  ３０Ｈを取り替える。さらに、ＰＡＬレイヤーは、レイヤー管理を提供するためにＩＤＰの機能を担当する。
【００６１】
図９は、本発明の一実施形態によって図３Ｂのシステムのような無線システムに関する無線通信プロセス９０のフローチャートを示す。プロセス９０は、下記のようなプロセッシングブロックを含む。
【００６２】
ＡＶソース側で、
ブロック９１：ＡＶソースモジュールは、第１  ＡＶインターフェースフォーマットを持つオーディオデータ、ビデオデータ、制御情報を含むＡＶ情報を提供する。
【００６３】
ブロック９２：第１  ＡＶインターフェースは、前記ＡＶ情報をプロセスしてＩＤＰレイヤーに提供する。
【００６４】
ブロック９３：ＩＤＰレイヤーは、必要な場合に前記ＡＶ情報についてインターフェース従属型プロセッシングを適用する。ここで説明されたように、ＩＤＰプロセッシングは、レイヤー管理、相異なるＡＶ情報タイプの分離／結合、ＡＶインターフェース別特定情報の変換／生成／フォワーディングを含む。
【００６５】
ブロック９４：無線送信部モジュールは、ＩＤＰプロセッシングされたＡＶ情報を、パケットのペイロードとして無線受信部モジュールに無線で伝送する。
【００６６】
ＡＶ受信側で、
ブロック９５：無線受信部モジュールは、パケットのペイロードをＩＤＰレイヤーに提供する。
【００６７】
ブロック９６：ＩＤＰレイヤーは、必要な場合にＡＶ情報について第２  ＡＶインターフェースフォーマットでインターフェース従属型プロセッシングを適用し、第２  ＡＶインターフェースに提供する。
【００６８】
ブロック９７：第２  ＡＶインターフェースは、ＡＶ情報をプロセスしてＡＶシンクモジュールに提供する。
【００６９】
ブロック９８：ＡＶシンクモジュールは、ＡＶ情報を受信する。
【００７０】
本発明の実施形態は、ＡＶソースとＡＶシンクとが相異なるビデオインターフェースを持つ場合、無線送受信部に連結されてＡＶデータ通信を行えるようにインターフェース従属型プロセッシングＩＤＰレイヤーを提供する。さらに、ＩＤＰレイヤーは、同一または相異なるＡＶインターフェースを通じるビデオ、オーディオ制御メッセージなどの相異なるＡＶ情報タイプを支援する。ＩＤＰは、無線伝送のための信号プロセッシング機能を提供する。かかる信号プロセッシング機能は、ＩＤＰと無線送受信部モジュールとのインタラクションについての支援を含む。さらに、かかる信号プロセッシング機能は、ビデオ、オーディオ、制御データなどの互いに異なるタイプの情報の分離及び結合を含む。
【００７１】
本技術分野の当業者に周知のように、本発明によって、前述されたアーキテクチャの例示は、プロセッサによって行われるようにプログラム命令の形態、ソフトウェアモジュールの形態、マイクロコード、コンピュータで読み取り可能なメディア上のコンピュータプログラム製品、論理回路、注文型半導体（ＡＳＩＣ）、ファームウエア、消費者家電器機などの形態で、無線装置、無線ネットワークでの無線送信部、受信部、送受信部などでいろいろな方式に具現される。さらに、本発明の実施形態は、完全にハードウェア実施形態の形態を持つか、または完全にソフトウェア実施形態の形態を持つか、またはハードウェアとソフトウェアとをいずれも含む実施形態の形態を持つ。
【００７２】
図１０は、本発明の一実施形態を具現するためのコンピュータシステム２００を備える情報処理システムを示す上位レベルブロックダイヤグラムである。コンピュータ・システム２００は、一つまたはそれ以上のプロセッサ２１１を備え、（グラフィック、テキスト及び他のデータをディスプレイするための）電子ディスプレイ装置２１２、（例えば、ＲＡＭなどの）メインメモリ２１３、（例えば、ハードディスクドライブなどの）保存装置２１４、（例えば、コンピュータソフトウェア及び／またはデータを保存している移動式保存ドライブ、移動式メモリモジュール、磁気テープドライブ、光学ディスクドライブ、コンピュータで読み取り可能な媒体などの）移動式保存装置２１５、（例えば、キーボード、タッチスクリーン、キーパッド、ポインティング装置などの）ユーザインターフェース装置２１６、（例えば、モデム、イーサネット（登録商標）カードなどのネットワークインターフェース、通信ポート、またはＰＣＭＣＩＡスロット及びカードなどの）通信インターフェース２１７をさらに備える。通信インターフェース２１７は、コンピュータシステム及び外部装置の間にソフトウェア及びデータが伝送されるようにする。システム２００は、前述した装置／モジュール２１１ないし装置／モジュール２１７が連結される（例えば、通信バス、クロスオーバ・バー（ｃｒｏｓｓ−ｏｖｅｒ  ｂａｒ）、またはネットワークなどの）通信インフラストラクチャ２１８をさらに備える。
【００７３】
通信インターフェース２１７を通じて伝達される情報は、信号を載せて運ぶ通信リンクを通じて通信インターフェース２１７が受信できる電子、電磁気、光学などの信号または他の信号の形態を持つことができ、有線やケーブル、光ファイバ、電話線、移動電話リンク、ラジオ周波数（ＲＦ）リンク、及び／または他の通信チャネルを用いて具現される。本院のブロックダイヤグラム及び／またはフローチャートを示すコンピュータプログラム命令は、コンピュータ、プログラムの可能なデータ処理装置、またはプロセッシング装置に搭載され、一連の動作が行われてコンピュータに具現されるプロセスを実行させうる。
【００７４】
本発明の実施形態は、方法、装置（システム）及びコンピュータプログラム製品のフローチャート及び／またはブロックダイヤグラムを参照して説明された。該図面／ダイヤグラムの各ブロックまたはその結合は、コンピュータプログラム命令で具現される。コンピュータプログラム命令はプロセッサに提供され、該プロセッサが該命令を行うことでフローチャート及び／またはブロックダイアグラムに示された機能／動作を具現する手段を生成させる。各フローチャート／ブロックダイヤグラムの各ブロックは、本発明の実施形態を具現するハードウェア及び／またはソフトウェアモジュールまたはロジッグを示す。他の例として、ブロックに記載された機能は同時に行われるなど、図面に記載されたものとは異なる手順で起きてもよい。
【００７５】
“コンピュータプログラムメディア”、“コンピュータ使用可能なメディア”、“コンピュータで読み取り可能なメディア”、“コンピュータプログラム製品”などの用語は、一般的にハードディスクドライブに設けられる主メモリ、補助メモリ、移動式保存装置、ハードディスクなどのメディアを指称するために使われる。これらのコンピュータプログラム製品は、コンピュータシステムにソフトウェアを提供するための手段である。コンピュータで読み取り可能なメディアは、コンピュータシステムがデータ、命令、メッセージまたはメッセージパケット、及び他のコンピュータで読み取り可能な情報を、コンピュータで読み取り可能なメディアから読み取れるようにする。例えば、コンピュータで読み取り可能なメディアは、フロッピー（登録商標）ディスク、ＲＯＭ、フラッシュメモリ、ディスクドライブメモリなどの不揮発性メモリ及びその他の永久的な保存所を含む。これらの媒体は、例えば、データ、コンピュータ命令などの情報をコンピュータシステム間に伝送するのに有用である。コンピュータプログラム命令は、コンピュータで読み取り可能な媒体に保存されてコンピュータ、他のプログラム可能なデータ処理装置、及び他の装置をして特定の方式で機能するように指示できるが、例えば、コンピュータで読み取り可能な媒体に保存された命令は、フローチャート及び／またはブロックダイアグラムのブロックで特定機能／動作を具現する命令語を含む製造品を生産する。
【００７６】
コンピュータプログラム（例えば、コンピュータ制御ロジッグ）は、主メモリ及び／または補助メモリに保存される。コンピュータプログラムは、通信インターフェースを通じて受信されてもよい。該コンピュータプログラムは、実行されれば、コンピュータシステムをして本出願で説明された発明の特徴を行わせる。さらに具体的に、コンピュータプログラムは、実行される場合にプロセッサ及び／またはマルチコアプロセッサをしてコンピュータシステムの特徴を行わせる。該コンピュータプログラムは、コンピュータシステムの制御部を示す。
【００７７】
本発明は特定のバージョンに合わせて説明されたが、他のバージョンも可能である。よって、請求項の思想及び範囲は、本出願に含まれた望ましいバージョンの説明に制限されて解釈されてはならない。
【図１】
0005826281.tif 000002
【図２】
0005826281.tif 000003
【図３Ａ】
0005826281.tif 000004
【図３Ｂ】
0005826281.tif 000005
【図４】
0005826281.tif 000006
【図５】
0005826281.tif 000007
【図６】
0005826281.tif 000008
【図７】
0005826281.tif 000009
【図８】
0005826281.tif 000010
【図９】
0005826281.tif 000011
【図１０】
0005826281.tif 000012